(57)【要約】      （修正有）【課題】広告や宣伝その他の目的で企業や個人が作成する各種パンフレットを簡易に保持できる組立て式パンフレットホルダーおよびそれに用いる収納ポケット部材を提供する。【解決手段】所定サイズのパンフレット用紙を挟み込み保持する収納用ポケット２を折り曲げると所定サイズのパンフレットを保持する形状となるベース用紙３を折り曲げて形成し、それを接着手段４によって所定サイズの台紙１の所定位置に貼り付けることで完成することを特徴とする組立て式パンフレットホルダー。【選択図】 図１
0003116429.tif 000002
【実用新案登録請求の範囲】
【請求項１】
所定サイズのパンフレット用紙を挟み込み保持する収納用ポケットを折り曲げると所定サイズのパンフレットを保持する形状となるベース用紙を折り曲げて形成し、それを接着手段によって所定サイズの台紙の所定位置に貼り付けることで完成することを特徴とする組立て式パンフレットホルダー。
【請求項２】
台紙貼り付け用の接着部を有すると共に、折り曲げると収納用ポケットに形成できるベース用紙を所定サイズのパンフレット用紙を挟み込み保持できるようにサイズ調整していることを特徴とする請求項１に記載の組立て式パンフレットホルダーを形成するためのパンフレット収納用ポケット部材。
【考案の詳細な説明】
【技術分野】
【０００１】
本考案は、広告や宣伝その他の目的で企業や個人が作成する各種パンフレットを簡易に保持できる組立て式パンフレットホルダーおよびそれに用いる収納ポケット部材に関するものである。
【背景技術】
【０００２】
各種パンフレット類は定型的サイズのものとして作成されるのが普通であり、これを保持収納するためのパンフレットホルダーも各パンフレットのサイズに適合した標準的サイズで作成するのが通常である。
【０００３】
しかし、従来のパンフレットホルダーは、収納ホルダーを一体的に付けるために、完成後サイズよりもはるかに大きな用紙を用いて、多様な形状の収納ポケット部分を成形させるために金型で外形を抜き、収納ポケット部分を成形させていた。
また、パンフレットホルダーに案内表示を施すという発想を開示する以下のような特許文献もある。
【特許文献１】実用新案登録第３０９４７０２号公報
【考案の開示】
【考案が解決しようとする課題】
【０００４】
上記した従来一般のパンフレットホルダーを制作するためには、収納すべきパンフレットサイズよりもはるかに大きなサイズの用紙を準備しなければ所望のものを作成することができない。
したがって、用紙代が割高になると共にこれを印刷したり型抜き加工するための機械サイズも必然的に大型化し、工賃等において無駄が多くなってしまう。
【０００５】
つまり、完成すべきパンフレットホルダーのサイズと比較して相当に大きな用紙を加工する印刷機や型抜き機械が必要となり、このような機械が揃っていなければ専門業者に外注せざるを得ず、この点においても納期が長くなりコストも上昇する不利がある。
【０００６】
すなわち、従来の方式によるパンフレットホルダー制作では短納期化及び低コスト化を実現することができないのである。
また、上記特許文献はパンフレットホルダー制作の短納期化や低コスト化に関しては何ら技術的開示を行っていない。
【課題を解決するための手段】
【０００７】
本考案は、上記した従来一般の手法による課題を解消すべく検討を重ねて創案されたものであり、準備する台紙は収納すべきパンフレットサイズと同等の標準サイズのものでありながら、別体品として用意する収納ポケット部材との組合せによって所望サイズのパンフレットホルダーを完成することを提案するものであって、より具体的には以下のとおりである。
【０００８】
（１）  所定サイズのパンフレット用紙を挟み込み保持する収納用ポケットを折り曲げると所定サイズのパンフレットを保持する形状となるベース用紙を折り曲げて形成し、それを接着手段によって所定サイズの台紙の所定位置に貼り付けることで完成することを特徴とする組立て式パンフレットホルダー。
【０００９】
（２）  台紙貼り付け用の接着部を有すると共に、折り曲げると収納用ポケットに形成できるベース用紙を所定サイズのパンフレット用紙を挟み込み保持できるようにサイズ調整していることを特徴とする前記（１）項に記載の組立て式パンフレットホルダーを形成するためのパンフレット収納用ポケット部材。
【００１０】
所定サイズのパンフレット用紙を挟み込み保持する収納用ポケットを折り曲げると所定サイズのパンフレットを保持する形状となるベース用紙を折り曲げて形成し、それを接着手段によって所定サイズの台紙の所定位置に貼り付けることで完成することにより、収納すべきパンフレットサイズと同等の標準サイズの用紙を台紙として準備すれば足りることになり用紙代や加工コストを低減すると共に納期短縮を図ることも可能となる。
【００１１】
台紙貼り付け用の接着部を有すると共に、折り曲げると収納用ポケットに形成できるベース用紙を所定サイズのパンフレット用紙を挟み込み保持できるようにサイズ調整していることで、収納ポケット部材そのものを台紙とは別に準備して商品化等することが可能となる。
【００１２】
また、上記本考案によれば、台紙部分に必要な用紙面積が従来手法よりも狭くなるため、印刷機も従来より小さなものを使用することができるので、費用が倹約できる。また、収納ポケットを大量製作しているおくことで、従来のように台紙部分と収納ポケットの一体化した複雑な抜き型を設計・制作することもなくなり、またその専門業者に発注することもないので、従来品より大幅な制作費用の倹約と納期短縮ができる。
【実施例】
【００１３】
上記してきたような本考案の具体的な実施例の若干を添付図面を利用しながら以下において説明する。
図１は、本考案の１実施例についての斜視図である。
台紙１は、図示のように２つ折りにすることで、例えばＡ４サイズの各種パンフレットを挟み込み保持するのに相応しいサイズとなる台紙用紙を準備するものである。このようなサイズの台紙用紙も標準的な製品として手軽に入手できるものである。
【００１４】
収納ポケット２は、図示のように台紙１とは別体品となっている。この収納ポケット２はベース用紙３を折り曲げて形成するものであり、裏面には接着剤や両面テープを利用した接着部４を設けて台紙１との接着を図ると共にポケット部２ののりしろ部分５をも接着することでパンフレットを収納するポケット２が完成される。
【００１５】
台紙１とのベース用紙３との接続部６の形状は、少なくともその１部が完成したポケット２の上端付近までくるように、例えば図示のような略三角形状とすることが望ましい。収納ポケット２に実際にパンフレットを入れる際に途中で引っ掛かる不都合が起き難くなるからである。
【００１６】
また、収納ポケット２の表面側には名刺等を挟み込み保持しながら適切に表示するための切り込み７を形成しておくことが望ましい。
【００１７】
図２は、このベース用紙３の展開図である。このベース用紙３も標準的サイズの用紙を切り抜き加工することで無駄なく入手することができるものである。
つまり、本考案のパンフレットホルダーは、台紙１とベース用紙３が必要であるが、標準サイズのパンフレットを収納する限りでは両者共に標準的サイズの用紙を準備すれば足りることになり、また、切り抜き加工などに伴う用紙無駄も最小限に抑えられることになるのである。
もちろん、印刷工程における無駄も最小限に抑えられるものである。
【００１８】
また、本考案の収納ポケット２は、図示のような２つ折り形式の台紙１に対してではなく、折りなしの平面台紙に対して貼り付けても適宜なパンフレット収納が可能となるものである。
したがって、本考案の収納ポケット２（ベース用紙３）は、任意な台紙に貼り付けることで、それ自体が適宜にパンフレット収納容器になり得るものであり、それ単体を商品化して市場に流通させることも可能なものである。
【００１９】
図３は、従来一般のパンフレットホルダーの斜視図及び展開図である。
ここでの台紙１ａは、例えば、用紙サイズ約３０３ｍｍ×約４３６ｍｍを２つ折りとした台紙を示し、収納ポケット２ａはパンフレットを収納し、その展開状態８に明らかなように、この製品を製作するのに必要な用紙面積は完成した台紙１ａのサイズよりもはるかに大きなものとなっている。
この展開状態８を切り抜くための用紙を規格サイズの用紙から入手するとすれば更に大きな面積のものを選ばざるを得ない。したがって、１つのパンフレットホルダーを得るために非常に多くの用紙が無駄にされていたのである。
【００２０】
台紙１は収納ポケット２と一体化して構成されている。収納ポケット２は、型抜き成形時にのりしろ部分と折り部分が生成される。生成後、のりしろ部分に接着剤若しくは両面テープを付け、折り部分を折って台紙１に接合することで従来一般のパンフレットホルダーは完成されていたのである。
【００２１】
したがって、従来一般の手法によるパンフレットホルダーの作成は、成るほど台紙とポケットが一体であるので組立てが簡易という利点はあるが、必要とされる用紙に無駄が多く印刷コストもかさみ納期も長くならざるを得ないものだったのである。
【００２２】
以上説明したように本考案では、台紙と収納ポケットを別体品としているので、台紙加工工程にかかる費用を削減することができる。また、収納ポケット部分がそれ自体として商品化可能なことから、利用者は好みの台紙を選択してオリジナルなパンフレットホルダーを作ることもでき、非常に使い勝手のよいものとなっている。
したがって、本考案は産業上の利用可能性において優れたものであると理解されるべきものである。
【図面の簡単な説明】
【００２３】
【図１】本考案の組立て式パンフレットホルダーの１例に関する外観斜視図である。
【図２】本考案のパンフレット収納ポケットを形成するベース用紙の１例に関しての展開図である。
【図３】従来一般のパンフレットホルダーについての説明図面である。
【符号の説明】
【００２４】
１    台紙
１ａ    従来の台紙
２    収納ポケット
２ａ    従来の収納ポケット
３    ベース用紙
４    接着部
５    のりしろ部分
６    接続部
７    名刺等保持用切込み
８    従来のパンフレットホルダー展開状態
【図１】
0003116429.tif 000003
【図２】
0003116429.tif 000004
【図３】
0003116429.tif 000005
【手続補正書】
【提出日】平成17年8月22日(2005.8.22)
【手続補正１】
【補正対象書類名】図面
【補正対象項目名】図１
【補正方法】変更
【補正の内容】
【図１】
0003116429.tif 000006
【手続補正２】
【補正対象書類名】図面
【補正対象項目名】図２
【補正方法】変更
【補正の内容】
【図２】
0003116429.tif 000007
【手続補正３】
【補正対象書類名】図面
【補正対象項目名】図３
【補正方法】変更
【補正の内容】
【図３】
0003116429.tif 000008